(57)【要約】【課題】変調信号の送受信を同一周波数で行う場合に、送信信号の周波数帯域全体において回り込み信号を抑制し、送信信号の受信感度の劣化を抑制する。【解決手段】送信信号から分配された送信信号の位相を変化させる可変移相器６２と、送信信号から分配された送信信号の振幅を減衰させる可変減衰器６３と、位相を変化させ、振幅を減衰させた送信信号を、設定された遅延量で遅延させる遅延量調整回路６４と、送信信号の周波数帯域の下端周波数から上端周波数において回り込み信号に対して同振幅且つ逆位相となった送信信号と、回り込み信号が重畳された受信信号とを合成する合成器６５とを備える。【選択図】図１
2016208085.tif 000002
【特許請求の範囲】
【請求項１】
送信回路から出力された送信信号が送受信アンテナに回り込み、前記送受信アンテナが受信した受信信号に重畳された前記送信信号の回り込み信号を除去するキャンセラ回路において、
前記送信信号から分配された前記送信信号の位相を変化させる可変移相器と、
前記送信信号から分配された前記送信信号の振幅を減衰させる可変減衰器と、
前記可変移相器で位相を変化させ、前記可変減衰器で振幅を減衰させた前記送信信号を、設定された遅延量で遅延させる遅延量調整回路と、
前記可変移相器、前記可変減衰器および前記遅延量調整回路を経由し、前記送信信号の周波数帯域の下端周波数から上端周波数において前記回り込み信号に対して同振幅且つ逆位相となった前記送信信号と、前記回り込み信号が重畳された前記受信信号とを合成する合成器とを備えたことを特徴とするキャンセラ回路。
【請求項２】
送信回路から出力された送信信号が送受信アンテナに回り込み、前記送受信アンテナが受信した受信信号に重畳された前記送信信号の回り込み信号を除去するキャンセラ回路において、
前記送信信号から分配された前記送信信号の位相を変化させる可変移相器と、
前記送信信号から分配された前記送信信号の振幅を減衰させる可変減衰器と、
前記回り込み信号が重畳された前記受信信号を設定された遅延量で遅延させる遅延量調整回路と、
前記遅延量調整回路の遅延処理により、前記送信信号の周波数帯域の下端周波数から上端周波数において前記送信信号に対して同振幅且つ逆位相となった前記回り込み信号が重畳された前記受信信号と、前記可変移相器および前記可変減衰器を経由した前記送信信号とを合成する合成器とを備えたことを特徴とするキャンセラ回路。
【請求項３】
送信回路から出力された送信信号が送受信アンテナに回り込み、前記送受信アンテナが受信した受信信号に重畳された前記送信信号の回り込み信号を除去するキャンセラ回路において、
前記送信信号から分配された前記送信信号の位相を変化させる可変移相器と、
前記送信信号から分配された前記送信信号の振幅を減衰させる可変減衰器と、
前記可変移相器で位相を変化させ、前記可変減衰器で振幅を減衰させた前記送信信号、および前記回り込み信号が重畳された前記受信信号を設定された遅延量で遅延させる遅延量調整回路と、
前記遅延量調整回路の遅延処理により、前記送信信号の周波数帯域の下端周波数から上端周波数において前記送信信号に対して同振幅且つ逆位相となった前記回り込み信号が重畳された前記受信信号と、前記可変移相器、前記可変減衰器および前記遅延量調整回路を経由した前記送信信号とを合成する合成器とを備えたことを特徴とするキャンセラ回路。
【請求項４】
前記遅延量調整回路は、異なる線路長で構成された複数の線路を切り替えて前記遅延量を調整することを特徴とする請求項１から請求項３のうちのいずれか１項記載のキャンセラ回路。
【請求項５】
前記遅延量調整回路は、可変コンデンサおよび可変抵抗器を備え、前記可変コンデンサの容量値および前記可変抵抗器の抵抗値の調整により、前記遅延量を調整することを特徴とする請求項１から請求項３のうちのいずれか１項記載のキャンセラ回路。
【請求項６】
送信信号を出力する送信回路と、
前記送信回路が出力した送信信号を外部に出力し、外部から入力された信号を受信する送受信アンテナと、
前記送信信号から分配された前記送信信号の位相を変化させる可変移相器と、前記送信信号から分配された前記送信信号の振幅を減衰させる可変減衰器と、前記可変移相器で位相を変化させ、前記可変減衰器で振幅を減衰させた前記送信信号を、設定された遅延量で遅延させる遅延量調整回路と、前記可変移相器、前記可変減衰器および前記遅延量調整回路を経由し、前記送信信号の周波数帯域の下端周波数から上端周波数において前記回り込み信号に対して同振幅且つ逆位相となった前記送信信号と、前記回り込み信号が重畳された前記受信信号とを合成する合成器とを備えたキャンセラ回路と、
前記キャンセラ回路が合成した合成信号を受信する受信回路と、
前記合成信号から検波した位相値および振幅値に基づいて、前記キャンセラ回路の前記可変移相器の移相量、前記可変減衰器の減衰量および前記遅延量調整回路の遅延量を制御する制御回路とを備えたことを特徴とする送受信装置。
【請求項７】
送信信号を出力する送信回路と、
前記送信回路が出力した送信信号を外部に出力し、外部から入力された信号を受信する送受信アンテナと、
前記送信信号から分配された前記送信信号の位相を変化させる可変移相器と、前記送信信号から分配された前記送信信号の振幅を減衰させる可変減衰器と、前記回り込み信号が重畳された前記受信信号を設定された遅延量で遅延させる遅延量調整回路と、前記遅延量調整回路の遅延処理により、前記送信信号の周波数帯域の下端周波数から上端周波数において前記送信信号に対して同振幅且つ逆位相となった前記回り込み信号が重畳された前記受信信号と、前記可変移相器および前記可変減衰器を経由した前記送信信号とを合成する合成器とを備えたキャンセラ回路と、
前記キャンセラ回路が合成した合成信号を受信する受信回路と、
前記合成信号から検波した位相値および振幅値に基づいて、前記キャンセラ回路の前記可変移相器の移相量、前記可変減衰器の減衰量および前記遅延量調整回路の遅延量を制御する制御回路とを備えたことを特徴とする送受信装置。
【請求項８】
送信信号を出力する送信回路と、
前記送信回路が出力した送信信号を外部に出力し、外部から入力された信号を受信する送受信アンテナと、
前記送信信号から分配された前記送信信号の位相を変化させる可変移相器と、前記送信信号から分配された前記送信信号の振幅を減衰させる可変減衰器と、前記可変移相器で位相を変化させ、前記可変減衰器で振幅を減衰させた前記送信信号、および前記回り込み信号が重畳された前記受信信号を設定された遅延量で遅延させる遅延量調整回路と、前記遅延量調整回路の遅延処理により、前記送信信号の周波数帯域の下端周波数から上端周波数において前記送信信号に対して同振幅且つ逆位相となった前記回り込み信号が重畳された前記受信信号と、前記可変移相器、前記可変減衰器および前記遅延量調整回路を経由した前記送信信号とを合成する合成器とを備えたキャンセラ回路と、
前記キャンセラ回路が合成した合成信号を受信する受信回路と、
前記合成信号から検波した位相値および振幅値に基づいて、前記キャンセラ回路の前記可変移相器の移相量、前記可変減衰器の減衰量および前記遅延量調整回路の遅延量を制御する制御回路とを備えたことを特徴とする送受信装置。
【請求項９】
請求項６から請求項８のうちのいずれか１項記載の送受信装置を備えたことを特徴とする基地局。
【発明の詳細な説明】
【技術分野】
【０００１】
この発明は、送受一体型のアンテナを有する送受信機に用いられるキャンセラ回路、当該キャンセラ回路を備えた送受信装置、および当該送受信装置を備えた基地局に関するものである。
【背景技術】
【０００２】
キャンセラ回路は、送受信共用の単一のアンテナを有する送受信装置に内蔵され、送受信機装置の送信回路の信号がアンテナを介して受信回路に伝わる回り込み信号に対して、同振幅且つ逆位相の信号を生成して混合し、回り込み信号をキャンセルした信号を出力信号とする機能を有する。これにより、送信回路の信号により受信回路の受信感度が劣化するのを抑制する。
【０００３】
従来のキャンセラ回路は、送信信号の一部をキャンセル用信号として取り出し、取り出したキャンセル用信号の振幅調整および位相調整を行って、回り込み信号の中心周波数ｆＣに対して同振幅且つ逆位相である調整信号を生成し、生成した調整信号によって回り込み信号が抑制され、受信信号帯域の雑音成分を抑制している（例えば、特許文献１参照）。
【先行技術文献】
【特許文献】
【０００４】
【特許文献１】特開２０１２−１２９９４６号公報
【発明の概要】
【発明が解決しようとする課題】
【０００５】
しかしながら、上述した特許文献１に記載された技術では、受信回路が無変調信号を受信することが前提であり、変調信号を受信する受信回路に当該従来技術を適用した場合には、中心周波数ｆＣに対しては回り込み信号の抑制が有効であるが、中心周波数ｆＣ以外の周波数成分に対して、回り込み信号を十分に抑圧することができず、受信回路の受信感度が劣化するという課題があった。
【０００６】
この発明は、上記のような課題を解決するためになされたもので、変調信号の送受信を同一周波数で行う場合に、送信信号の周波数帯域全体において回り込み信号を抑制し、送信信号の受信感度の劣化を抑制することを目的とする。
【課題を解決するための手段】
【０００７】
この発明に係るキャンセラ回路は、送信信号から分配された送信信号の位相を変化させる可変移相器と、送信信号から分配された送信信号の振幅を減衰させる可変減衰器と、可変移相器で位相を変化させ、可変減衰器で振幅を減衰させた送信信号を、設定された遅延量で遅延させる遅延量調整回路と、可変移相器、可変減衰器および遅延量調整回路を経由し、送信信号の周波数帯域の下端周波数から上端周波数において回り込み信号に対して同振幅且つ逆位相となった送信信号と、回り込み信号が重畳された受信信号とを合成する合成器とを備えるものである。
【発明の効果】
【０００８】
この発明によれば、変調信号の送受信が同一周波数で行われる場合にも、送信信号の周波数帯域全体において回り込み信号を抑制し、受信信号の受信感度の劣化を抑制することができる。これにより、変調信号を送受信する高帯域通信、全二重方式による通信、マルチキャリアの通信においても回り込み信号による受信感度劣化を防ぐことができる。
【図面の簡単な説明】
【０００９】
【図１】実施の形態１に係るキャンセラ回路を備えた送受信装置の構成を示す図である。
【図２】実施の形態１に係るキャンセラ回路の遅延量調整回路の内部構成を示す図である。
【図３】実施の形態１に係るキャンセラ回路を備えた送受信装置のキャンセルトレーニング動作を示すフローチャートである。
【図４】実施の形態１に係るキャンセラ回路を備えた送受信装置のキャンセルトレーニング動作を示すフローチャートである。
【図５】実施の形態１に係るキャンセラ回路を備えた送受信装置の信号のスペクトラムを示す図である。
【図６】実施の形態１に係るキャンセラ回路を備えた送受信装置のキャンセル動作Ａを示すフローチャートである。
【図７】実施の形態１に係るキャンセラ回路を備えた送受信装置の各信号の位相および位相の傾きを示す図である。
【図８】実施の形態１に係るキャンセラ回路を備えた送受信装置のキャンセル動作Ｂを示すフローチャートである。
【図９】実施の形態２に係るキャンセラ回路を備えた送受信装置の構成を示す図である。
【図１０】実施の形態２に係るキャンセラ回路を備えた送受信装置の遅延量調整回路の内部構成を示す図である。
【図１１】実施の形態２に係るキャンセラ回路を備えた送受信装置のキャンセル用信号の振幅情報および位相情報の取得動作を示すフローチャートである。
【図１２】実施の形態２に係るキャンセラ回路を備えた送受信装置のキャンセル動作Ｃを示すフローチャートである。
【図１３】実施の形態２に係るキャンセラ回路を備えた送受信装置のキャンセル用信号の位相特性および通過特性を示す図である。
【図１４】実施の形態３に係るキャンセラ回路を備えた送受信装置の構成を示す図である。
【図１５】実施の形態３に係るキャンセラ回路を備えた送受信装置のキャンセルトレーニング動作を示すフローチャートである。
【図１６】実施の形態３に係るキャンセラ回路を備えた送受信装置のキャンセルトレーニング動作を示すフローチャートである。
【図１７】実施の形態３に係るキャンセラ回路を備えた送受信装置のキャンセル動作Ａ１を示すフローチャートである。
【図１８】実施の形態３に係るキャンセラ回路を備えた送受信装置のキャンセル動作Ｄを示すフローチャートである。
【図１９】実施の形態３に係るキャンセラ回路を備えた送受信装置のキャンセル動作Ｄを示すフローチャートである。
【図２０】実施の形態３に係るキャンセラ回路を備えた送受信装置の回り込み信号の位相特性および通過特性を示す図である。
【図２１】実施の形態４に係るキャンセラ回路を備えた送受信装置の構成を示す図である。
【発明を実施するための形態】
【００１０】
実施の形態１．
図１は、実施の形態１に係るキャンセラ回路を備えた送受信装置の構成を示す図である。
送受信装置１００は、送信回路１、第１のカプラ２、第１のスイッチ３、サーキュレータ４、アンテナ５、キャンセラ回路６、第２のカプラ７、受信回路８、可変バンドパスフィルタ（以下、可変ＢＰＦと称する）９、振幅検波器１０、位相検波器１１および制御回路１２を有している。
送信回路１は、変調信号および無変調信号である送信信号を出力する。第１のカプラ２は、送信信号をキャンセラ回路６と、サーキュレータ４とに分配して送る。第１のスイッチ３は、制御回路１２から入力される切替制御情報に基づいて、サーキュレータ４側に分配する送信信号の出力切り替えを行う。サーキュレータ４は送受共用器であり、アンテナ５を介して送信信号の出力および受信信号の受信を行う。受信信号は、キャンセラ回路６に入力される。また、送信信号の一部は当該サーキュレータ４を経由する、あるいはアンテナ５で反射されて回り込み信号としてキャンセラ回路６に回り込む。
【００１１】
キャンセラ回路６は、第２のスイッチ６１、可変移相器６２、可変減衰器６３、遅延量調整回路６４および合成器６５を有している。第２のスイッチ６１は、制御回路１２から入力される切替制御情報に基づいて、キャンセラ回路６側に分配する送信信号の出力切り替えを行う。可変移相器６２は、制御回路１２から入力される位相調整制御情報に基づいて、第２のスイッチ６１の出力信号の位相を変化させる。可変減衰器６３は、制御回路１２から入力される振幅調整制御情報に基づいて、可変移相器６２の出力信号である変調信号の振幅を減衰させる。遅延量調整回路６４は、制御回路１２から入力される遅延量制御情報に基づいて、可変減衰器６３の出力信号を設定された遅延量で遅延させる。合成器６５は、遅延量調整回路６４の出力信号と、回り込み信号とを合成して、合成信号を生成する。
【００１２】
図２は、実施の形態１に係るキャンセラ回路６の遅延量調整回路６４の内部構成を示す図である。
遅延量調整回路６４は、信号の入力側に設けられた切替器６４ａと、信号の出力側に設けられた切替器６４ｂとを備える。遅延量調整回路６４は、制御回路１２から入力される遅延量制御情報に基づいて切替器６４ａと切替器６４ｂとの接続を切り替え、可変減衰器６３からの出力信号が経由する線路の切り替えを行う。当該線路の切り替えにより、可変減衰器６３からの出力信号を設定された遅延量だけ遅延させて出力する。
図２の例では、線路Ａ、線路Ｂ、線路Ｃ，線路Ｄおよび線路Ｅを備える例を示しており、各線路はそれぞれ経路長が異なっている。
【００１３】
図１に戻り、送受信装置１００の各構成の説明を続ける。
第２のカプラ７は、合成器６５から出力された合成信号を、可変ＢＰＦ９と受信回路８とに分配して送る。受信回路８は、第２のカプラ７で分配された合成信号を受信する。可変ＢＰＦ９は、第２のカプラ７で分配された合成信号のうち、制御回路１２から入力される帯域制御情報で設定された中心周波数と当該中心周波数から設定された範囲内の帯域の信号を通過させる。
【００１４】
振幅検波器１０は、可変ＢＰＦ９を通過した合成信号の振幅を検波し、振幅値のピーク値を電圧に変換する。位相検波器１１は、可変ＢＰＦ９を通過した合成信号の位相を検波し、位相値を電圧に変換する。制御回路１２は、合成信号の振幅検波結果および位相検波結果とに基づいて、可変移相器６２を制御するための位相調整量を決定し、可変減衰器６３を制御するための振幅調整量を決定する。また、制御回路１２は、キャンセラ回路６の動作に応じて、第１のスイッチ３、第２のスイッチ６１の切り替え動作、遅延量調整回路６４の遅延量、可変ＢＰＦ９の通過帯域を制御する。
【００１５】
次に、キャンセラ回路６を備えた送受信装置１００の動作について説明する。
なお、送受信装置１００の動作は、制御回路１２が回り込み信号およびキャンセル用信号の振幅情報および位相情報を取得するキャンセルトレーニング動作と、キャンセルトレーニング動作で取得した振幅情報および位相情報を用いて回り込み信号をキャンセルするキャンセル動作とに分けて説明を行う。
【００１６】
（１）キャンセルトレーニング動作
図３および図４は、実施の形態１に係るキャンセラ回路６を備えた送受信装置１００のキャンセルトレーニング動作を示すフローチャートであり、図３は回り込み信号の振幅情報および位相情報の取得動作を示すフローチャートであり、図４はキャンセル用信号の振幅情報および位相情報の取得動作を示すフローチャートである。
【００１７】
＜回り込み信号の振幅情報および位相情報取得動作＞
まず、図３のフローチャートを参照しながら、回り込み信号の振幅情報および位相情報取得動作について説明する。
なお、制御回路１２から出力された切替制御情報に基づいて、第１のスイッチ３をＯＮに設定して第１のカプラ２で分配された送信信号をサーキュレータ４側に通過させ、第２のスイッチ６１をＯＦＦに設定して第１のカプラ２で分配された送信信号を可変移相器６２に出力するのを遮断しているものとする。
【００１８】
送信回路１は、無変調信号である送信信号を出力し、出力された送信信号は第１のスイッチ３、サーキュレータ４およびアンテナ５を経由して外部に送信される（ステップＳＴ１）。また、送信信号の一部がサーキュレータ４を経由して送受信装置１００に回り込み信号として回り込み、さらに送信信号の一部がアンテナ５で反射され、送受信装置１００に回り込み信号として回り込む（ステップＳＴ２）。合成器６５は、ステップＳＴ２で入力された回り込み信号のみを通過させ、第２のカプラ７は合成器６５を通過した回り込み信号の一部を、可変ＢＰＦ９に分配する（ステップＳＴ３）。
【００１９】
可変ＢＰＦ９は、ステップＳＴ３で分配された回り込み信号のうち、制御回路１２の帯域制御情報で設定された中心周波数と当該中心周波数から設定された範囲内の帯域の信号を通過させる（ステップＳＴ４）。ここで、制御回路１２の帯域情報で設定された中心周波数の値および中心周波数から設定された範囲内の帯域は、例えば後述する回り込み信号のキャンセル動作において用いる送信信号帯域の中心周波数ｆＣ、および送信信号帯域の下端周波数ｆ０から上端周波数ｆ１までの帯域とするが、当該下端周波数ｆ０から上端周波数ｆ１の範囲で異なる値あるいは異なる範囲を設定してもよいし、当該下端周波数ｆ０から上端周波数ｆ１の範囲外の値あるいは範囲外の範囲を設定してもよい。
【００２０】
振幅検波器１０は、ステップＳＴ４で可変ＢＰＦ９を通過した信号の振幅値のピーク値を電圧に変換する（ステップＳＴ５）。位相検波器１１は、ステップＳＴ４で可変ＢＰＦ９を通過した信号の位相の値を電圧に変換する（ステップＳＴ６）。制御回路１２は、ステップＳＴ５で振幅検波器１０が取得した電圧に基づいて、回り込み信号の下端周波数ｆ０、中心周波数ｆＣ、上端周波数ｆ１における振幅値ＡＣを算出し、振幅情報としてバッファ（不図示）に格納する（ステップＳＴ７）。即ち、３つの周波数ｆ０，ｆＣ，ｆ１における振幅が互いに同一の値であるものとする。
【００２１】
また、制御回路１２は、ステップＳＴ６で位相検波器１１が取得した電圧に基づいて、回り込み信号の下端周波数ｆ０で位相値ω０、中心周波数ｆＣで位相値ωＣ、上端周波数ｆ１で位相値ω１を算出し、さらに当該回り込み信号の位相の傾きの値（ω０−ω１）／（ｆ１−ｆ０）を算出し、それぞれ位相情報としてバッファに格納し（ステップＳＴ８）、処理を終了する。
【００２２】
＜キャンセル用信号の振幅情報および位相情報取得動作＞
次に、図４のフローチャートを参照しながら、キャンセル用信号の振幅情報および位相情報取得動作について説明する。
なお、制御回路１２から出力された切替制御情報に基づいて、第１のスイッチ３をＯＦＦに設定して、第１のカプラ２で分配された送信信号がサーキュレータ４およびアンテナ５を介して外部に送信されるのを遮断し、第２のスイッチ６１をＯＮに設定して、第１のカプラ２で分配された送信信号をキャンセル用信号として可変移相器６２に出力するものとする。
【００２３】
送信回路１は、無変調信号である送信信号を出力し、出力された送信信号は第１のカプラ２を経由してキャンセル用信号としてキャンセラ回路６に入力される（ステップＳＴ１１）。キャンセラ回路６は制御回路１２から入力される制御情報に基づいて、可変移相器６２の移相量および可変減衰器６３の減衰量を固定し（ステップＳＴ１２）、遅延量調整回路６４の切替器６４ａおよび切替器６４ｂの切り替えを行い、線路Ａを選択する（ステップＳＴ１３）。
【００２４】
ステップＳＴ１１で入力されたキャンセル用信号は、第２のスイッチ６１、可変移相器６２、可変減衰器６３、遅延量調整回路６４を経由して合成器６５を通過し（ステップＳＴ１４）、第２のカプラ７は合成器６５を通過したキャンセル用信号の一部を可変ＢＰＦ９に分配する（ステップＳＴ１５）。可変ＢＰＦ９は、ステップＳＴ１５で分配されたキャンセル用信号のうち、制御回路１２の帯域制御情報で設定された中心周波数と当該中心周波数から設定された範囲内の帯域の信号を通過させ、振幅検波器１０および位相検波器１１に入力する（ステップＳＴ１６）。振幅検波器１０は、ステップＳＴ１６で可変ＢＰＦ９を通過した信号の振幅値のピーク値を電圧に変換する（ステップＳＴ１７）。位相検波器１１は、ステップＳＴ１６で可変ＢＰＦ９を通過した信号の位相の値を電圧に変換する（ステップＳＴ１８）。
【００２５】
制御回路１２は、ステップＳＴ１７で振幅検波器１０が取得した電圧に基づいて、キャンセル用信号の下端周波数ｆ０、中心周波数ｆＣ、上端周波数ｆ１における振幅値ＡＣ０ａを算出し、振幅情報としてバッファ（不図示）に格納する（ステップＳＴ１９）。即ち、３つの周波数ｆ０，ｆＣ，ｆ１における振幅が互いに同一の値であるものとする。また、制御回路１２は、ステップＳＴ１８で位相検波器１１が取得した電圧に基づいて、キャンセル用信号の下端周波数ｆ０で位相値φ００ａ、中心周波数ｆＣで位相値φＣ０ａ、上端周波数ｆ１で位相値φ１０ａを算出し、さらに当該キャンセル用信号の位相の傾きの値（φ００ａ−φ１０ａ）／（ｆ１−ｆ０）を算出し、それぞれ位相情報としてバッファに格納する（ステップＳＴ２０）。
【００２６】
制御回路１２は、キャンセラ回路６の遅延量調整回路６４の全ての線路について振幅情報および位相情報を格納したか否か判定を行う（ステップＳＴ２１）。全ての経路について振幅情報および位相情報を格納した場合（ステップＳＴ２１；ＹＥＳ）、処理を終了する。一方、全ての経路について振幅情報および位相情報を格納していない場合（ステップＳＴ２１；ＮＯ）、制御回路１２はキャンセラ回路６に対して、遅延量調整回路６４の線路の切り替えを指示する制御情報を出力する（ステップＳＴ２２）。遅延量調整回路６４は、ステップＳＴ２２で出力された制御情報に基づいて切替器６４ａおよび切替器６４ｂの切り替えを行い、異なる線路の選択を行う（ステップＳＴ２３）。その後、フローはステップＳＴ１４に戻り、上述した処理を繰り返し行う。
【００２７】
上述した繰り返し処理を具体的に説明すると、線路Ｂを選択した処理では、ステップＳＴ１９の処理としてキャンセル用信号の下端周波数ｆ０、中心周波数ｆＣ、上端周波数ｆ１における振幅値ＡＣ０ｂが算出され、振幅情報としてバッファに格納される。また、ステップＳＴ２０の処理としてキャンセル用信号の下端周波数ｆ０で位相値φ００ｂ、中心周波数ｆＣで位相値φＣ０ｂ、上端周波数ｆ１で位相値φ１０ｂを算出し、さらにキャンセル用信号の位相の傾きの値（φ００ｂ−φ１０ｂ）／（ｆ１−ｆ０）を算出し、それぞれ位相情報としてバッファに格納する。
【００２８】
また、線路Ｃを選択した処理では、ステップＳＴ１９の処理としてキャンセル用信号の下端周波数ｆ０、中心周波数ｆＣ、上端周波数ｆ１における振幅値ＡＣ０ｃが算出され、振幅情報としてバッファに格納される。また、ステップＳＴ２０の処理としてキャンセル用信号の下端周波数ｆ０で位相値φ００ｃ、中心周波数ｆＣで位相値φＣ０ｃ、上端周波数ｆ１で位相値φ１０ｃを算出し、さらにキャンセル用信号の位相の傾きの値（φ００ｃ−φ１０ｃ）／（ｆ１−ｆ０）を算出し、それぞれ位相情報としてバッファに格納する。
【００２９】
また、線路Ｄを選択した処理では、ステップＳＴ１９の処理としてキャンセル用信号の下端周波数ｆ０、中心周波数ｆＣ、上端周波数ｆ１における振幅値ＡＣ０ｄが算出され、振幅情報としてバッファに格納される。また、ステップＳＴ２０の処理としてキャンセル用信号の下端周波数ｆ０で位相値φ００ｄ、中心周波数ｆＣで位相値φＣ０ｄ、上端周波数ｆ１で位相値φ１０ｄを算出し、さらにキャンセル用信号の位相の傾きの値（φ００ｄ−φ１０ｄ）／（ｆ１−ｆ０）を算出し、それぞれ位相情報としてバッファに格納する。
【００３０】
また、線路Ｅを選択した処理では、ステップＳＴ１９の処理としてキャンセル用信号の下端周波数ｆ０、中心周波数ｆＣ、上端周波数ｆ１における振幅値ＡＣ０ｅが算出され、振幅情報としてバッファに格納される。また、ステップＳＴ２０の処理としてキャンセル用信号の下端周波数ｆ０で位相値φ００ｅ、中心周波数ｆＣで位相値φＣ０ｅ、上端周波数ｆ１で位相値φ１０ｅを算出し、さらにキャンセル用信号の位相の傾きの値（φ００ｅ−φ１０ｅ）／（ｆ１−ｆ０）を算出し、それぞれ位相情報としてバッファに格納する。
キャンセル用信号の位相の傾きの値は、線路長が長いほど高くなる。線路長は、線路Ａ＜線路Ｂ＜線路Ｃ＜線路Ｄ＜線路Ｅであることから、キャンセル用信号の位相の傾きの値は、（（φ００ａ−φ１０ａ）／（ｆ１−ｆ０））＜（（φ００ｂ−φ１０ｂ）／（ｆ１−ｆ０））＜（（φ００ｃ−φ１０ｃ）／（ｆ１−ｆ０））＜（（φ００ｄ−φ１０ｄ）／（ｆ１−ｆ０））＜（（φ００ｅ−φ１０ｅ）／（ｆ１−ｆ０））となる。
【００３１】
（２）キャンセル動作
次に、実際に送受信装置１００に回り込んだ回り込み信号をキャンセルするキャンセル動作について説明する。回り込み信号のキャンセル動作として、回り込み信号の中心周波数成分をキャンセルする中心周波数成分キャンセル動作（以下、キャンセル動作Ａと称する）と、送信信号の周波数帯域全体において回り込み信号をキャンセルする周波数帯域キャンセル動作（以下、キャンセル動作Ｂと称する）とを行う。
キャンセル動作Ａでは、回り込み信号の中心周波数ｆＣの振幅成分ＡＣおよび位相値ωＣに対して、キャンセル用信号が同振幅ＡＣ、且つ逆位相ωＣ−πとなるように可変移相器６２および可変減衰器６３においてキャンセル用信号の位相および振幅の調整を行う。
一方、キャンセル動作Ｂでは、送信信号の周波数帯域全体において回り込み信号に対して、キャンセル用信号が同振幅、且つ逆位相となるように遅延量調整回路６４の線路の切り替えを行う。
【００３２】
図５を参照し、キャンセル動作Ａおよびキャンセル動作Ｂの概略を説明する。
図５は、実施の形態１に係るキャンセラ回路６を備えた送受信装置１００の信号のスペクトラムを示す図である。
図５において、スペクトラム１００１は、キャンセラ回路６によるキャンセル動作を開始する前の信号のスペクトラムである。スペクトラム１００２は、スペクトラム１００１に対してキャンセル動作Ａを行い、中心周波数成分をキャンセルした後の信号のスペクトラムである。スペクトラム１００３は、スペクトラム１００２に対してキャンセル動作Ｂを行い、送信信号の周波数帯域全体において周波数成分をキャンセルした後の信号のスペクトラムである。矢印１００４は、キャンセル動作Ａのキャンセル方向を示し、矢印１００５はキャンセル動作Ｂのキャンセル方向を示している。閾値Ｐａは、キャンセル動作Ａにおいて、中心周波数成分を抑圧するための閾値である。閾値Ｐｂは、キャンセル動作Ｂにおいて、送信信号の周波数帯域全体において周波数成分を抑圧するための閾値である。
【００３３】
次に、キャンセル動作Ａについて、フローチャートを参照しながら説明を行う。
図６は、実施の形態１に係るキャンセラ回路６を備えた送受信装置１００のキャンセル動作Ａを示すフローチャートである。
なお、キャンセラ回路６は、上記（１）で示したキャンセルトレーニング動作によって取得した位相情報および振幅情報に基づいて、制御回路１２が可変移相器６２の位相、および可変減衰器６３の減衰量を制御し、遅延量調整回路６４において線路Ｃが選択されているものとする。また、制御回路１２から出力された切替制御情報に基づいて、第１のスイッチ３は第１のカプラ２で分配された送信信号をサーキュレータ４側に通過させる設定が行われ、第２のスイッチ６１は第１のカプラ２で分配された送信信号をキャンセラ回路６の可変移相器６２側に通過させる設定が行われているものとする。
【００３４】
送信回路１は、変調信号である下端周波数ｆ０、中心周波数ｆＣ、上端周波数ｆ１の送信信号を出力する（ステップＳＴ３１）。送信信号の一部は第１のカプラ２で分配され、サーキュレータ４およびアンテナ５を介して外部に送信される（ステップＳＴ３２）。ステップＳＴ３２で送信された送信信号の一部はサーキュレータ４を経由して送受信装置１００に回り込み信号として回り込み、送信信号のその他の一部はアンテナ５において反射され、送受信装置１００に回り込み信号として回り込む（ステップＳＴ３３）。
【００３５】
一方、ステップＳＴ３１で出力された送信信号の一部は第１のカプラ２で分配され、キャンセル用信号としてキャンセラ回路６の第２のスイッチ６１を介して可変移相器６２に入力される（ステップＳＴ３４）。可変移相器６２はステップＳＴ３４で入力されたキャンセル用信号の位相調整を行い、ステップＳＴ３３で入力された回り込み信号の中心周波数ｆＣの位相値ωＣに対して逆位相（位相ωＣ−π）となるように調整する（ステップＳＴ３５）。また、ステップＳＴ３５で位相調整されたキャンセル用信号は、可変減衰器６３において振幅調整が行われ、ステップＳＴ３３入力された回り込み信号の中心周波数ｆＣの振幅成分ＡＣと同振幅となるように調整される（ステップＳＴ３６）。
【００３６】
ステップＳＴ３６で振幅調整が行われたキャンセル用信号は遅延量調整回路６４において遅延処理され、合成器６５に入力される（ステップＳＴ３７）。合成器６５は、ステップＳＴ３７で入力されたキャンセル用信号と、ステップＳＴ３３で入力された回り込み信号との合成を行い、回り込み信号の中心周波数ｆＣ成分をキャンセルする（ステップＳＴ３８）。即ち、キャンセラ回路６の出力信号の中心周波数ｆＣ成分がキャンセルされる。ステップＳＴ３８で中心周波数ｆＣ成分がキャンセルされた出力信号の一部は第２のカプラ７で分配されて受信回路８で受信される（ステップＳＴ３９）。
【００３７】
第２のカプラ７で分配された出力信号のその他の一部は、可変ＢＰＦ９において、制御回路１２の帯域制御情報で設定された中心周波数と当該中心周波数から設定された範囲内の帯域の信号のみを通過させる帯域調整が行われる（ステップＳＴ４０）。なお、可変ＢＰＦ９は、通過帯域が送信回路１より送信される変調信号の周波数帯域全体（下端周波数ｆ０から上端周波数ｆ１まで）に対応している。
【００３８】
振幅検波器１０は、ステップＳＴ４０で帯域調整が行われた信号の振幅値のピーク値を電圧に変換し（ステップＳＴ４１）、位相検波器１１は、ステップＳＴ４０で帯域調整が行われた信号の位相値を電圧に変換する（ステップＳＴ４２）。さらに振幅検波器１０は、ステップＳＴ４１で変換した電圧に基づいて出力信号の電力が予め設定された閾値Ｐａ以下であるか否か判定を行う（ステップＳＴ４３）。出力信号が設定された閾値Ｐａ以下である場合（ステップＳＴ４３；ＹＥＳ）、制御回路１２は現在の可変移相器６２に対する位相制御情報および可変減衰器６３に対する振幅制御情報をバッファに格納し（ステップＳＴ４４）、処理を終了する。
【００３９】
一方、出力信号が設定された閾値Ｐａ以下でない場合（ステップＳＴ４３；ＮＯ）、制御回路１２は、ステップＳＴ４１およびステップ４２で変換された電圧の値を参照し、キャンセラ回路６の可変移相器６２の位相および可変減衰器６３の減衰量を制御する（ステップＳＴ４５）。その後、フローチャートはステップＳＴ３４の処理に戻り、上述した処理を繰り返す。ステップＳＴ４５の制御により、キャンセラ回路６において次回行われる中心周波数成分のキャンセル動作における中心周波数ｆＣの成分の抑圧量が制御される。
【００４０】
図６のフローチャートに基づくキャンセル動作Ａのキャンセル結果について、図７の具体例を参照して説明する。
図７は、実施の形態１に係るキャンセラ回路６を備えた送受信装置１００の各信号の位相および位相の傾きを示す図である。
図７において、位相１０１１は、回り込み信号の位相であって、周波数ｆ０においてω０、周波数ｆＣにおいてωＣ、周波数ｆ１においてω１である。なお、周波数はｆ０＜ｆＣ＜ｆ１の関係を満たしている。位相１０１２は、回り込み信号の逆位相であって、周波数ｆ０においてω０−π、周波数ｆＣにおいてωＣ−π、周波数ｆ１においてω１−πである。なお、周波数はｆ０＜ｆＣ＜ｆ１の関係を満たしている。位相１０１３は、キャンセル動作Ａを開始する前のキャンセル用信号の位相であって、周波数ｆ０においてφ００ａ、周波数ｆＣにおいてφＣ０ａ、周波数ｆ１においてφ１０ａである。位相１０１４は、キャンセル動作Ａ終了後のキャンセル用信号の位相であって、周波数ｆ０においてφ０１ａ、周波数ｆＣにおいてφＣ１ａ、周波数ｆ１においてφ１１ａである。
【００４１】
中心周波数成分のキャンセル動作Ａ終了後のキャンセル用信号の位相である位相１０１４の中心周波数ｆＣにおける位相φＣ１ａが、回り込み信号の逆位相である位相１０１２の中心周波数ｆＣにおける位相ωＣ−πと一致する。これにより、図５で示したように、キャンセラ回路６の合成器６５から出力される出力信号、即ちキャンセル動作Ａ終了後のスペクトラム１００２は、中心周波数成分のキャンセル動作開始前のキャンセル用信号のスペクトラム１００１に対して、中心周波数ｆＣの成分が抑圧される。
【００４２】
上述したキャンセル動作Ａに続いて行われる、キャンセル動作Ｂについて詳細な説明を行う。
図８は、実施の形態１に係るキャンセラ回路６を備えた送受信装置１００のキャンセル動作Ｂを示すフローチャートである。
なお、キャンセル動作Ｂでは、遅延量調整回路６４においてまず線路Ａが選択されているものとする。
キャンセラ回路６から出力された出力信号の一部は第２のカプラ７で分配されて可変ＢＰＦ９に入力され、当該可変ＢＰＦ９において、制御回路１２の帯域制御情報で設定された中心周波数と当該中心周波数から設定された範囲内の帯域の信号のみを通過させる帯域調整が行われる（ステップＳＴ５１）。なお、可変ＢＰＦ９は、通過帯域が送信回路１より送信される変調信号の周波数帯域全体（下端周波数ｆ０から上端周波数ｆ１まで）に対応している。
【００４３】
振幅検波器１０は、ステップＳＴ５１で帯域調整が行われた信号の振幅値のピーク値を電圧に変換し（ステップＳＴ５２）、位相検波器１１は、ステップＳＴ５１で帯域調整が行われた信号の位相の値を電圧に変換する（ステップＳＴ５３）。制御回路１２は、上記（１）で示したキャンセルトレーニング動作によって、制御回路１２が取得した回り込み信号の位相の傾きの値（ω０−ω１）／（ｆ１−ｆ０）と、上述したキャンセル動作Ａ終了時のキャンセル用信号の位相１０１４の傾きの値（φ０１ａ−φ１１ａ）／（ｆ１−ｆ０）とを比較する（ステップＳＴ５４）。制御回路１２は、ステップＳＴ５４の比較結果、ステップＳＴ５２で変換された電圧の値、およびステップＳＴ５３で変換された電圧の値に基づいて、遅延量調整回路６４内の線路の切り替えの制御を行う（ステップＳＴ５５）。
【００４４】
ステップＳＴ５５の処理において、図７を参照すると、回り込み信号の位相の傾きの値（ω０−ω１）／（ｆ１−ｆ０）に対して、キャンセル動作Ａ終了時のキャンセル用信号の位相１０１４の傾きの値（φ０１ａ−φ１１ａ）／（ｆ１−ｆ０）が小さい。そこで、制御回路１２は、振幅検波器１０および位相検波器１１で変換された電圧の値に基づいて、線路Ａよりも経路長の長い、線路Ｂ、線路Ｃ、線路Ｄまたは線路Ｅのいずれかの線路に切り替える制御を、遅延量調整回路６４に対して行う。
【００４５】
さらに、制御回路１２は、キャンセル動作Ａで格納した位相制御情報および振幅制御情報（図６のステップＳＴ４０参照）に基づいて、可変移相器６２および可変減衰器６３を制御する（ステップＳＴ５６）。可変移相器６２および可変減衰器６３は、キャンセル用信号の位相調整および振幅調整を行う（ステップＳＴ５７）。遅延量調整回路６４は、ステップＳＴ５７で位相調整および振幅調整が行われたキャンセル用信号の遅延処理を行う（ステップＳＴ５８）。合成器６５は、ステップＳＴ５８で遅延処理されたキャンセル用信号と、送受信装置１００に入力した回り込み信号との合成を行い、送信信号の周波数帯域全体において回り込み信号の周波数成分をキャンセルする（ステップＳＴ５９）。即ち、キャンセラ回路６の出力信号が、送信信号の周波数帯域全体においてキャンセルされる。
【００４６】
ステップＳＴ５９で全ての周波数成分がキャンセルされた出力信号の一部は第２のカプラ７で分配されて受信回路８で受信される。また、第２のカプラ７で分配された出力信号のその他の一部は可変ＢＰＦ９を介して振幅検波器１０に入力され、振幅値のピーク値が電圧に変換される。振幅検波器１０は、変換した電圧に基づいて出力信号の電力が予め設定された閾値Ｐｂ以下であるか否か判定を行う（ステップＳＴ６０）。出力信号が設定された閾値Ｐｂ以下である場合（ステップＳＴ６０；ＹＥＳ）、当処理を終了する。一方、出力信号が設定された閾値Ｐｂ以下でない場合（ステップＳＴ６０；ＮＯ）、ステップＳＴ５１の処理に戻り、上述した処理を繰り返す。
【００４７】
図８のフローチャートに基づくキャンセル動作Ｂのキャンセル結果について、図７の具体例を参照して説明する。
図７において、位相１０１５は、遅延量調整回路６４の線路Ｄを経由した場合のキャンセル動作Ｂ終了時のキャンセル用信号の位相を示し、周波数ｆ０においてφ０２ａ、周波数ｆＣにおいてφＣ２ａ、周波数ｆ１においてφ１２ａであり、位相の傾きの値（φ０２ａ−φ１２ａ）／（ｆ１−ｆ０）である。当該位相１０１５の傾きの値は、回り込み信号の逆位相である位相１０１２の傾きの値（φ００ｄ−φ１０ｄ）／（ｆ１−ｆ０）に一致し、振幅検波器１０で検波する信号の振幅の値が最も小さくなる。受信回路８においても、予め設定された閾値Ｐｂ以下であると判定され（ステップＳＴ６０；ＹＥＳ）、キャンセル動作Ｂが終了し、受信回路８に出力される出力信号は、送信信号の周波数帯域全体において、回り込み信号が抑圧されたスペクトラムとなる。
【００４８】
図８のフローチャートに従って回り込み信号が抑圧されたスペクトラムを、図５においてスペクトラム１００３として示している。スペクトラム１００３は送信信号の周波数帯域全体において矢印１００５方向に抑圧され、送信信号の周波数帯域全域において閾値Ｐｂ以下となっている。
【００４９】
以上のように、この実施の形態１によれば、回り込み信号の中心周波数をキャンセルするためのキャンセル用信号の位相および振幅の調整を行う可変移相器６２および可変減衰器６３と、送信信号の周波数帯域全体において回り込み信号をキャンセルするための遅延処理を行う遅延量調整回路６４とを備えるように構成したので、変調信号を送信しながら外部からの信号を受信する送受信装置においても、送信回路からの回り込み信号を送信信号の周波数帯域全体においてキャンセルすることができ、回り込み信号による影響を広帯域において低減することができる。これにより、当該送受信装置を、変調信号を送受信する広帯域通信、全二重方式による通信、マルチキャリアの通信におけるキャンセラ回路として適用することができる。
【００５０】
また、上述した実施の形態１によれば、線路の切り替えにより遅延処理を行う遅延量調整回路６４を備えるように構成したので、遅延量調整回路６４に対する制御信号は線路を選択するためのデジタル信号のみでよく、精細な電圧調整を必要とせず、遅延量調整のための回路を容易に実現することができる。
【００５１】
実施の形態２．
この実施の形態２では、遅延量調整回路を可変コンデンサおよび可変抵抗器で構成する場合を示す。
図９は実施の形態２に係るキャンセラ回路６ａを備えた送受信装置１００ａの構成を示す図であり、図１０は実施の形態２に係るキャンセラ回路６ａを備えた送受信装置１００ａの遅延量調整回路６６の内部構成を示す図である。なお、以下では、実施の形態１に係るキャンセラ回路６を備えた送受信装置１００の構成要素と同一または相当する部分には、実施の形態１で使用した符号と同一の符号を付して説明を省略または簡略化する。
実施の形態２の送受信装置１００ａは、ＨＰＦ（Ｈｉｇｈ  Ｐａｓｓ  Ｆｉｌｔｅｒ）で構成された遅延量調整回路６６を備えている。遅延量調整回路６６は、制御回路１２から入力される遅延量制御情報に基づいて、可変減衰器６３の出力信号を設定された遅延量で遅延させる。図１１に示すように、遅延量調整回路６６は、可変コンデンサ６６ａおよび可変抵抗器６６ｂを備え、当該可変コンデンサ６６ａの容量値、および可変抵抗器６６ｂの抵抗値は、制御回路１２から入力される遅延量制御情報に基づいて固定される。
【００５２】
次に、図１１から図１３を参照しながら、実施の形態２に係るキャンセラ回路６ａを備えた送受信装置１００ａの動作について説明する。
送受信装置１００ａの動作について、実施の形態１と同様に制御回路１２が回り込み信号およびキャンセル用信号の振幅情報および位相情報を取得するキャンセルトレーニング動作と、キャンセルトレーニング動作で取得した振幅情報および位相情報を用いて回り込み信号をキャンセルするキャンセル動作とに分けて説明を行う。
まず、キャンセルトレーニング動作について説明を行うが、送受信装置１００ａの回り込み信号の振幅情報および位相情報の取得動作は実施の形態１と同一であるため、説明を省略する。
【００５３】
（１ａ）キャンセルトレーニング動作
＜キャンセル用信号の振幅情報および位相情報取得動作＞
図１１は、実施の形態２に係るキャンセラ回路６ａを備えた送受信装置１００ａのキャンセル用信号の振幅情報および位相情報の取得動作を示すフローチャートである。なお、以下では実施の形態１に係るキャンセラ回路６を備えた送受信装置１００と同一のステップには図４で使用した符号と同一の符号を付し、説明を省略または簡略化する。
ステップＳＴ１１としてキャンセル用信号がキャンセラ回路６ａに入力されると、キャンセラ回路６ａは制御回路１２から入力される制御情報に基づいて、可変移相器６２の移相量および可変減衰器６３の減衰量を固定し（ステップＳＴ１２）、遅延量調整回路６６は可変コンデンサ６６ａの容量値をＣ０に固定し、可変抵抗器６６ｂの抵抗値をＲ０に固定する（ステップＳＴ７１）。
【００５４】
ステップＳＴ１１で入力されたキャンセル用信号は、第２のスイッチ６１、可変移相器６２、可変減衰器６３、遅延量調整回路６６を経由して合成器６５を通過し（ステップＳＴ１４）、第２のカプラ７は合成器６５を通過したキャンセル用信号の一部を可変ＢＰＦ９に分配する（ステップＳＴ１５）。分配されたキャンセル用信号に対してステップＳＴ１６からステップＳＴ１８の処理を行う。制御回路１２は、ステップＳＴ１７で振幅検波器１０が取得した電圧に基づいて、キャンセル用信号の下端周波数ｆ０、中心周波数ｆＣ、上端周波数ｆ１における振幅値ＡＣ０ｂを算出し、振幅情報としてバッファ（不図示）に格納する（ステップＳＴ７２）。即ち、３つの周波数ｆ０，ｆＣ，ｆ１における振幅が互いに同一の値であるものとする。
【００５５】
また、制御回路１２は、ステップＳＴ１８で位相検波器１１が取得した電圧に基づいて、キャンセル用信号の下端周波数ｆ０で位相値φ００、中心周波数ｆＣで位相値φＣ０、上端周波数ｆ１で位相値φ１０を算出し、さらにキャンセル用信号の位相の傾きの値（φ００−φ１０）／（ｆ１−ｆ０）を算出し、それぞれ位相情報としてバッファに格納する（ステップＳＴ７３）。
ここで、可変コンデンサ６６ａの容量値はＣ０からＣ４（Ｃ０＜Ｃ１＜Ｃ２＜Ｃ３＜Ｃ４）の範囲で連続可変とし、可変抵抗器６６ｂの抵抗値はＲ０からＲ４（Ｒ０＜Ｒ１＜Ｒ２＜Ｒ３＜Ｒ４）の範囲で連続可変とする。即ち、可変コンデンサ６６ａの容量値をＣ０，Ｃ１，Ｃ２，Ｃ３，Ｃ４の何れかに固定し、可変抵抗器６６ｂの抵抗値をＲ０，Ｒ１，Ｒ２，Ｒ３，Ｒ４の何れかに固定し、上述したステップＳＴ７２およびステップＳＴ７３の処理を行う。可変コンデンサ６６ａの容量値と、可変抵抗器６６ｂの抵抗値との全ての組み合わせについてステップＳＴ７２およびステップＳＴ７３の処理を行うものとする。
【００５６】
制御回路１２は、キャンセラ回路６ａの遅延量調整回路６６の可変コンデンサ６６ａの容量値と、可変抵抗器６６ｂの抵抗値との全ての組み合わせについて振幅情報および位相情報を格納したか否か判定を行う（ステップＳＴ７４）。全ての組み合わせについて振幅情報および位相情報を格納していない場合（ステップＳＴ７４；ＮＯ）、制御回路１２はキャンセラ回路６ａに対して、遅延量調整回路６６の可変コンデンサ６６ａの容量値と、可変抵抗器６６ｂの抵抗値との再設定を指示する制御情報を出力する（ステップＳＴ７５）。遅延量調整回路６６は、ステップＳＴ７５で出力された制御情報に基づいて可変コンデンサ６６ａの容量値および可変抵抗器６６ｂの抵抗値の再設定を行い、固定する（ステップＳＴ７６）。その後、フローはステップＳＴ１４に戻り、上述した処理を繰り返し行う。
上述した繰り返し処理により得られるキャンセル用信号の位相の傾き値は、可変コンデンサ６６ａの容量値または可変抵抗器６６ｂの抵抗値が高いほど大きい値となる。
【００５７】
（２ａ）キャンセル動作
次に、実際に送受信装置１００ａに回り込んだ回り込み信号をキャンセルするキャンセル動作について説明する。この実施の形態２では、回り込み信号のキャンセル動作として、回り込み信号の中心周波数成分をキャンセルする中心周波数成分キャンセル動作をキャンセル動作Ａとし、送信信号の周波数帯域全体において回り込み信号をキャンセルする周波数帯域キャンセル動作をキャンセル動作Ｃとして説明を行う。
【００５８】
実施の形態２に係るキャンセラ回路６ａを備えた送受信装置１００ａのキャンセル動作Ａは、実施の形態１のキャンセル動作Ａと同一であることから説明を省略する。なお、実施の形態１の図６で示したフローチャートのステップＳＴ３７のキャンセル用信号遅延処理が行われる遅延量調整回路６６において、可変コンデンサ６６ａの容量値および可変抵抗器６６ｂの抵抗値が予め設定されているものとする。
【００５９】
上述したキャンセル動作Ａに続いて行われる、キャンセル動作Ｃについて詳細な説明を行う。
図１２は、実施の形態２に係るキャンセラ回路６ａを備えた送受信装置１００ａのキャンセル動作Ｃを示すフローチャートである。なお、以下では実施の形態１に係るキャンセラ回路６を備えた送受信装置１００と同一のステップには図８で使用した符号と同一の符号を付し、説明を省略または簡略化する。
ステップＳＴ５４において、制御回路１２は、上記（１ａ）で示したキャンセルトレーニング動作によって、制御回路１２が取得した回り込み信号の位相の傾きの値（ω０−ω１）／（ｆ１−ｆ０）と、上述したキャンセル動作Ａ終了時のキャンセル用信号の位相１０１４の傾きの値とを比較する。制御回路１２は、ステップＳＴ５４の比較結果、ステップＳＴ５３で取得された振幅検波器１０および位相検波器１１で変換された電圧の値に基づいて、遅延量調整回路６６内の可変コンデンサ６６ａの容量値および可変抵抗器６６ｂの抵抗値を調整する制御を行う（ステップＳＴ８２）。
【００６０】
ステップＳＴ８２の処理において、図７を参照すると、実施の形態１と同様に回り込み信号の位相の傾きの値（ω０−ω１）／（ｆ１−ｆ０）に対して、キャンセル動作Ａ終了時のキャンセル用信号の位相１０１４の傾きの値が小さい。そこで、制御回路１２は、振幅検波器１０で変換された電圧の値に基づいて、遅延量調整回路６６を構成するＨＰＦのカットオフ周波数ｆｋ２を現在の値に対して低い値に切り替える調整を行う。具体的には、可変コンデンサ６６ａの容量値をＣ０から順に上昇させ、また可変抵抗器６６ｂの抵抗値をＲ０から順に上昇させる調整を行う。
【００６１】
さらに、制御回路１２は、キャンセル動作Ａで格納した位相制御情報および振幅制御情報（図６のステップＳＴ４０参照）に基づいて、可変移相器６２および可変減衰器６３を制御する（ステップＳＴ５６）。可変移相器６２および可変減衰器６３は、キャンセル用信号の位相調整および振幅調整を行う（ステップＳＴ５７）。遅延量調整回路６６は、ステップＳＴ５７で位相調整および振幅調整が行われたキャンセル用信号の遅延処理を行う（ステップＳＴ８３）。合成器６５は、ステップＳＴ８３で遅延処理されたキャンセル用信号と、送受信装置１００ａに入力した回り込み信号との合成を行い、送信信号の周波数帯域全体において回り込み信号の周波数成分をキャンセルする（ステップＳＴ５９）。即ち、キャンセラ回路６ａの出力信号が、送信信号の周波数帯域全体においてキャンセルされる。
【００６２】
ステップＳＴ５９で全ての周波数成分がキャンセルされた出力信号の一部は第２のカプラ７で分配されて受信回路８で受信される。また、第２のカプラ７で分配された出力信号のその他の一部は可変ＢＰＦ９を介して振幅検波器１０に入力され、振幅値のピーク値が電圧に変換される。振幅検波器１０は、変換した電圧に基づいて出力信号の電力が予め設定された閾値Ｐｂ以下であるか否か判定を行う（ステップＳＴ６０）。出力信号が設定された閾値Ｐｂ以下である場合（ステップＳＴ６０；ＹＥＳ）、当処理を終了する。一方、出力信号が設定された閾値Ｐｂ以下でない場合（ステップＳＴ６０；ＮＯ）、ステップＳＴ５１の処理に戻り、上述した処理を繰り返す。
【００６３】
キャンセル動作Ｃによるキャンセル用信号の位相特性および通過特性の変化について、図１３を参照しながら説明する。
図１３は、実施の形態２に係るキャンセラ回路６ａを備えた送受信装置１００ａのキャンセル用信号の位相特性および通過特性を示す図である。
スペクトラム２００１，２００２は、遅延量調整回路６６を構成するＨＰＦの通過特性を示すスペクトラムである。スペクトラム２００１は、可変コンデンサ６６ａの容量値がＣ０であり、可変抵抗器６６ｂの抵抗値がＲ０である場合のスペクトラムであり、スペクトラム２００２は、可変コンデンサ６６ａの容量値がＣ３、可変抵抗器６６ｂの抵抗値がＲ４に上昇した場合のスペクトラムである。
【００６４】
スペクトラム２００３，２００４は、遅延量調整回路６６を構成するＨＰＦにより遅延処理が行われたキャンセル用信号の位相特性を示すスペクトラムである。スペクトラム２００３は、可変コンデンサ６６ａの容量値がＣ０、可変抵抗器６６ｂの抵抗値がＲ０の遅延量調整回路６６により遅延処理が行われた場合のキャンセル用信号の位相特性のスペクトラムであり、スペクトラム２００４は、可変コンデンサ６６ａの容量値がＣ３、可変抵抗器６６ｂの抵抗値がＲ４の遅延量調整回路６６により遅延処理が行われた場合のキャンセル用信号の位相特性のスペクトラムである。
【００６５】
可変コンデンサ６６ａの容量値、および可変抵抗器６６ｂの抵抗値を変化させることにより、ＨＰＦの通過特性がスペクトラム２００１からスペクトラム２００２に変化し、ＨＰＦのカットオフ周波数がｆｋ２からｆｋ１に変化する。即ち、カットオフ周波数が低い値となる。ＨＰＦのカットオフ周波数が低い値となることにより、遅延量調整回路６６を通過するキャンセル用信号の位相特性がスペクトラム２００３からスペクトラム２００４に変化し、送信信号の周波数帯域（周波数ｆ０から周波数ｆ１）において周波数に対して位相の傾きの値が大きくなる。
【００６６】
上述のように、回り込み信号の位相の傾きの値（ω０−ω１）／（ｆ１−ｆ０）に対して、中心周波数成分のキャンセル動作後のキャンセル用信号の位相１０１４の傾きの値が小さい場合、図１２で示した遅延量調整動作を行うことにより、図８で示したキャンセル用信号の位相１０１４は、周波数に対して位相の傾きの値が大きくなり、回り込み信号に対して位相πずらした逆位相信号の位相１０１２の傾きの値に近づき、最終的に位相１０１２の傾きの値に一致する、位相１０１５に変化する。これにより、受信回路８に出力される出力信号は、送信信号の周波数帯域全体において、回り込み信号が抑圧されたスペクトラムとなる。
位相１０１２および位相１０１５は、周波数ｆ０においてφ０２ａ（＝ω０−π）、周波数ｆＣにおいてφＣ２ａ（＝ωＣ−π）、周波数ｆ１においてφ１２ａ（＝ω１−π）である。
【００６７】
以上のように、この実施の形態２によれば、回り込み信号の中心周波数をキャンセルするためのキャンセル用信号の位相および振幅の調整を行う可変移相器６２および可変減衰器６３と、送信信号の周波数帯域全体において回り込み信号をキャンセルするための遅延処理を行う遅延量調整回路６６とを備えるように構成したので、変調信号を送信しながら外部からの信号を受信する送受信装置においても、送信回路からの回り込み信号を送信信号の周波数帯域全体においてキャンセルすることができ、回り込み信号による影響を広帯域において低減することができる。これにより、当該送受信装置を、変調信号を送受信する広帯域通信、全二重方式による通信、マルチキャリアの通信におけるキャンセラ回路として適用することができる。
【００６８】
また、上述した実施の形態２によれば、可変コンデンサ６６ａと可変抵抗器６６ｂとにより遅延処理を行う遅延量調整回路６６を備えるように構成したので、実施の形態１で示した線路の切り替えによる遅延量調整回路６４よりも回路規模を小型化することができる。また、可変コンデンサと可変抵抗器の値を連続的に調整することができるので、遅延量を連続的に設定することができる。
【００６９】
実施の形態３．
上述した実施の形態１および実施の形態２では、送信信号の一部として取り出したキャンセル用信号に対して遅延量調整を行う構成を示したが、この実施の形態３では、送受信装置に回り込んだ回り込み信号に対して遅延量調整を行う構成を示す。
図１４は、実施の形態３に係るキャンセラ回路６ｂを備えた送受信装置１００ｂの構成を示す図である。なお、上述した実施の形態１，２で示した送受信装置１００，１００ａの構成要素と同一または相当する部分には、実施の形態１，２で使用した符号と同一の符号を付して説明を省略または簡略化する。
【００７０】
実施の形態３の送受信装置１００ｂは、サーキュレータ４の後段に遅延量調整回路６７を備えている。遅延量調整回路６７の構成は、実施の形態２で示した遅延量調整回路６６と同一であり、はＨＰＦで構成され、制御回路１２から入力される遅延量制御情報に基づいて、回り込み信号を設定された遅延量で遅延させる。遅延量調整回路６７は、実施の形態２で示した遅延量調整回路６６と同様に可変コンデンサおよび可変抵抗器を備える（不図示）。可変コンデンサの容量値、および可変抵抗器の抵抗値は、制御回路１２から入力される遅延量制御情報に基づいて固定される。
【００７１】
次に、実施の形態３に係るキャンセラ回路６ｂを備えた送受信装置１００ｂの動作について説明する。
送受信装置１００ｂの動作について、実施の形態１および実施の形態２と同様にキャンセルトレーニング動作と、キャンセル動作とに分けて説明を行う。
【００７２】
（１ｂ）キャンセルトレーニング動作
図１５および図１６は、実施の形態３に係るキャンセラ回路６ｂを備えた送受信装置１００ｂのキャンセルトレーニング動作を示すフローチャートであり、図１５は回り込み信号の振幅情報および位相情報の取得動作を示すフローチャートであり、図１６はキャンセル用信号の振幅情報および位相情報の取得動作を示すフローチャートである。なお、以下では実施の形態１および実施の形態２に係るキャンセラ回路６，６ａを備えた送受信装置１００，１００ａと同一のステップには同一の符号を付し、説明を省略または簡略化する。
【００７３】
＜回り込み信号の振幅情報および位相情報取得動作＞
まず、図１５のフローチャートを参照しながら、回り込み信号の振幅情報および位相情報取得動作について説明する。
なお、制御回路１２から出力された切替制御情報に基づいて、第１のスイッチ３をＯＮに設定して第１のカプラ２で分配された送信信号をサーキュレータ４側に通過させ、第２のスイッチ６１をＯＦＦに設定して第１のカプラ２で分配された送信信号が可変移相器６２に出力するのを遮断しているものとする。また、制御回路１２から出力された制御情報に基づいて、遅延量調整回路６７の可変コンデンサの容量値はＣ０に、可変抵抗器の抵抗値はＲ０に固定されているものとする。
【００７４】
ステップＳＴ２で回り込み信号が入力されると、遅延量調整回路６７は回り込み信号に対して遅延処理を行う（ステップＳＴ９１）。ステップＳＴ９１で遅延処理が行われた回り込み信号は合成器６５を通過し、第２のカプラ７において一部が可変ＢＰＦ９に分配される（ステップＳＴ３）。ステップＳＴ３で分配された回り込み信号の一部に対して、ステップＳＴ４からステップＳＴ８の処理を行い、回り込み信号の振幅情報および位相情報を格納する。
【００７５】
制御回路１２は、遅延量調整回路６７において可変コンデンサの容量値と可変抵抗器の抵抗値の全ての組み合わせについて振幅情報および位相情報を格納したか否か判定を行う（ステップＳＴ９２）。全ての組み合わせについて算出している場合（ステップＳＴ９２；ＹＥＳ）、処理を終了する。一方、全ての組み合わせについて算出していない場合（ステップＳＴ９２；ＮＯ）、制御回路１２は遅延量調整回路６７に対して可変コンデンサの容量値と可変抵抗器の抵抗値の再設定を指示する制御情報を出力する（ステップＳＴ９３）。遅延量調整回路６７は、ステップＳＴ９３で出力された制御情報に基づいて可変コンデンサの容量値と可変抵抗器の抵抗値の再設定を行って固定する（ステップＳＴ９４）。その後、フローはステップＳＴ１の処理に戻り、上述した処理を繰り返し行う。
【００７６】
実施の形態２と同様に、可変コンデンサの容量値はＣ０からＣ４（Ｃ０＜Ｃ１＜Ｃ２＜Ｃ３＜Ｃ４）の範囲で連続可変とし、可変抵抗器の抵抗値はＲ０からＲ４（Ｒ０＜Ｒ１＜Ｒ２＜Ｒ３＜Ｒ４）の範囲で連続可変とする。即ち、可変コンデンサの容量値をＣ０，Ｃ１，Ｃ２，Ｃ３，Ｃ４の何れかに固定し、可変抵抗器の抵抗値をＲ０，Ｒ１，Ｒ２，Ｒ３，Ｒ４の何れかに固定し、上述した振幅情報および位相情報の格納を行う。位相情報として得られる位相の傾きの値は、可変コンデンサの容量値または可変抵抗器の抵抗値の値が高いほど大きい値となる。
【００７７】
＜キャンセル用信号の振幅情報および位相情報取得動作＞
次に、図１６のフローチャートを参照しながら、キャンセル用信号の振幅情報および位相情報取得動作について説明する。
図１６に示すように、実施の形態３の送受信装置１００ｂのキャンセル用信号の振幅情報および位相情報取得の動作は、図４で示したフローチャートにおいて、ステップＳＴ１３の処理、およびステップＳＴ２１からステップＳＴ２３の処理を省略したものである。即ち、ステップＳＴ１９でキャンセル用信号の振幅情報をバッファに格納し、ステップＳＴ２０でキャンセル用信号の位相情報を格納し、処理を終了する。
【００７８】
（３ｂ）キャンセル動作
次に、実際に送受信装置１００ｂに回り込んだ回り込み信号をキャンセルするキャンセル動作について説明する。この実施の形態３では、回り込み信号のキャンセル動作として、回り込み信号の中心周波数成分をキャンセルする中心周波数成分キャンセル動作をキャンセル動作Ａ１とし、送信信号の周波数帯域全体において回り込み信号をキャンセルする周波数帯域キャンセル動作をキャンセル動作Ｄとして説明を行う。
【００７９】
キャンセル動作Ａ１について、フローチャートを参照しながら説明を行う。
図１７は、実施の形態３に係るキャンセラ回路６ｂを備えた送受信装置１００ｂのキャンセル動作Ａ１を示すフローチャートである。なお、以下では実施の形態１に係るキャンセラ回路６を備えた送受信装置１００と同一のステップには図６で使用した符号と同一の符号を付し、説明を省略または簡略化する。
【００８０】
なお、キャンセラ回路６ｂは、上記（１ｂ）で示したキャンセルトレーニング動作によって制御回路１２が取得した制御情報に基づいて、可変移相器６２の移相量、および可変減衰器６３の減衰量が制御され、遅延量調整回路６７の可変コンデンサの容量値がＣ０、可変抵抗器の抵抗値がＲ０に固定されているものとする。また、制御回路１２から出力された切替制御情報に基づいて、第１のスイッチ３は第１のカプラ２で分配された送信信号をサーキュレータ４側に通過させる設定が行われ、第２のスイッチ６１は第１のカプラ２で分配された送信信号をキャンセラ回路６ｂの可変移相器６２側に通過させる設定が行われているものとする。
【００８１】
ステップＳＴ３３で入力された回り込み信号は、遅延量調整回路６７において遅延処理が行われる（ステップＳＴ１０１）。一方、ステップＳＴ３１で出力された送信信号の一部は第１のカプラ２で分配されたキャンセル用信号は、ステップＳＴ３４からステップＳＴ３６の処理を経て位相調整および振幅調整が行われ、合成器６５に出力される。
【００８２】
合成器６５は、ステップＳＴ１０１で遅延処理が行われた回り込み信号と、可変減衰器６３から入力されたキャンセル用信号との成を行い、回り込み信号の中心周波数ｆＣ成分をキャンセルする（ステップＳＴ３８）。即ち、キャンセラ回路６ｂの出力信号の中心周波数ｆＣ成分がキャンセルされる。その後、合成器６５が出力した合成信号に対してステップＳＴ３９からステップＳＴ４５の処理が行われる。
【００８３】
図１７のフローチャートに基づくキャンセル動作Ａ１のキャンセル結果について、図１８の具体例を参照して説明する。
図１８は、実施の形態３に係るキャンセラ回路６ｂを備えた送受信装置１００ｂの各信号の位相および位相の傾きを示す図である。
図１８において、位相３００１は、回り込み信号の位相であって、周波数ｆ０においてω０、周波数ｆＣにおいてωＣ、周波数ｆ１においてω１である。なお、周波数はｆ０＜ｆＣ＜ｆ１の関係を満たしている。位相３００２は、回り込み信号の逆位相であって、周波数ｆ０においてω０−π、周波数ｆＣにおいてωＣ−π、周波数ｆ１においてω１−πである。なお、周波数はｆ０＜ｆＣ＜ｆ１の関係を満たしている。位相３００３は、キャンセル動作Ａ１を開始する前のキャンセル用信号の位相であって、周波数ｆ０においてφ００、周波数ｆＣにおいてφＣ０、周波数ｆ１においてφ１０である。位相３００４は、キャンセル動作Ａ１終了後のキャンセル用信号の位相であって、周波数ｆ０においてφ０１、周波数ｆＣにおいてφＣ１、周波数ｆ１においてφ１１である。
【００８４】
中心周波数成分のキャンセル動作Ａ１終了後のキャンセル用信号の位相である位相３００４の中心周波数ｆＣにおける位相φＣ１が、回り込み信号の逆位相である位相３００２の中心周波数ｆＣにおける位相ωＣ−πと一致する。これにより、キャンセラ回路６ｂの合成器６５から出力される出力信号、即ちキャンセル動作Ａ１終了後のスペクトラムは、中心周波数成分のキャンセル動作Ａ１開始前のキャンセル用信号のスペクトラムに対して、中心周波数ｆＣの成分が抑圧される。なお、スペクトラムは実施の形態１の図５と同一であるため、図示を省略する。
【００８５】
上述したキャンセル動作Ａ１に続いて行われる、キャンセル動作Ｄについて説明を行う。
図１９は、実施の形態３に係るキャンセラ回路６ｂを備えた送受信装置１００ｂのキャンセル動作Ｄを示すフローチャートである。
なお、以下では実施の形態２に係るキャンセラ回路６ａを備えた送受信装置１００ａと同一のステップには図１２で使用した符号と同一の符号を付し、説明を省略または簡略化する。
【００８６】
ステップＳＴ５４において、上記（１ｂ）で示したキャンセルトレーニング動作によって、制御回路１２が取得した回り込み信号の位相３００１の傾きの値（ω０−ω１）／（ｆ１−ｆ０）と、上述したキャンセル動作Ａ１終了時のキャンセル用信号の位相３００４の傾きの値（φ０１−φ１１）／（ｆ１−ｆ０）とを比較する（ステップＳＴ５４）。制御回路１２は、ステップＳＴ５４の比較結果、ステップＳＴ５３で取得された振幅検波器１０および位相検波器１１で変換された電圧の値に基づいて、遅延量調整回路６７内の可変コンデンサの容量値および可変抵抗器の抵抗値を調整する制御を行う（ステップＳＴ８２）。
【００８７】
ステップＳＴ８２の処理において、図１８を参照すると、回り込み信号の位相３００１の傾きの値（ω０−ω１）／（ｆ１−ｆ０）に対して、キャンセル動作Ａ１終了時のキャンセル用信号の位相３００４の傾きの値（φ０１−φ１１）／（ｆ１−ｆ０）が大きい。そこで、制御回路１２は、振幅検波器１０および位相検波器１１で変換された電圧の値に基づいて、遅延量調整回路６７を構成するＨＰＦのカットオフ周波数ｆｋ２を現在の値に対して低い値に切り替える調整を行う。具体的には、可変コンデンサの容量値をＣ０から順に上昇させ、また可変抵抗器の抵抗値をＲ０から順に上昇させる調整を行う。
【００８８】
送受信装置１００ｂに回り込んだ回り込み信号は、ステップＳＴ８２で制御された遅延量調整回路６７において遅延処理が行われ、合成器６５に入力される（ステップＳＴ１０２）。さらに、制御回路１２は、キャンセル動作Ａで格納した位相制御情報および振幅制御情報（図６のステップＳＴ４０参照）に基づいて、可変移相器６２および可変減衰器６３を制御する（ステップＳＴ５６）。可変移相器６２および可変減衰器６３は、キャンセル用信号の位相調整および振幅調整を行う（ステップＳＴ５７）。
【００８９】
合成器６５は、ステップＳＴ１０２で遅延処理された回り込み信号と、ステップＳＴ５７で位相調整および振幅調整が行われたキャンセル用信号との合成を行い、送信信号の周波数帯域全体において回り込み信号の周波数成分をキャンセルする（ステップＳＴ５９）。即ち、キャンセラ回路６ｂの出力信号が、送信信号の周波数帯域全体においてキャンセルされる。ステップＳＴ５９で全ての周波数成分がキャンセルされた出力信号について、ステップＳＴ６０の判定処理が行われる。
【００９０】
図１９のフローチャートに基づくキャンセル動作Ｄのキャンセル結果について、図１８の具体例を参照して説明する。
図１８において、位相３００５は、遅延量調整回路６７を経由した場合のキャンセル動作Ｄ終了時の回り込み信号の位相を示し、位相の傾きの値は（φ０１−φ１１）／（ｆ１−ｆ０）である。当該位相３００５の傾きの値は、キャンセル動作Ａ１終了時のキャンセル用信号の位相３００４の傾きの値に一致し、振幅検波器１０で検波する信号の振幅の値が最も小さくなる。受信回路８においても、予め設定された閾値Ｐｂ以下であると判定され（ステップＳＴ６０；ＹＥＳ）、キャンセル動作Ｂが終了し、受信回路８に出力される出力信号は、送信信号の周波数帯域全体において、回り込み信号が抑圧されたスペクトラムとなる。
【００９１】
キャンセル動作Ｄによる回り込み信号の位相特性および通過特性の変化について、図２０を参照しながら説明する。
図２０は、実施の形態３に係るキャンセラ回路６ｂを備えた送受信装置１００ｂの回り込み信号の位相特性および通過特性を示す図である。
スペクトラム３０１１，３０１２は、遅延量調整回路６７を構成するＨＰＦの通過特性を示すスペクトラムである。スペクトラム３０１１は、可変コンデンサの容量値がＣ０であり、可変抵抗器の抵抗値がＲ０である場合のスペクトラムであり、スペクトラム３０１２は、可変コンデンサの容量値がＣ３、可変抵抗器の抵抗値がＲ４に上昇した場合のスペクトラムである。
【００９２】
スペクトラム３０１３，３０１４は、遅延量調整回路６７を構成するＨＰＦにより遅延処理が行われた回り込み信号の位相特性を示すスペクトラムである。スペクトラム３０１３は、可変コンデンサの容量値がＣ０、可変抵抗器の抵抗値がＲ０の遅延量調整回路６７により遅延処理が行われた場合の回り込み信号の位相特性のスペクトラムであり、スペクトラム３０１４は、可変コンデンサの容量値がＣ３、可変抵抗器の抵抗値がＲ４の遅延量調整回路６７により遅延処理が行われた場合の回り込み信号の位相特性のスペクトラムである。
【００９３】
可変コンデンサの容量値、および可変抵抗器の抵抗値を変化させることにより、ＨＰＦの通過特性がスペクトラム３０１１からスペクトラム３０１２に変化し、ＨＰＦのカットオフ周波数がｆｋ２からｆｋ１に変化する。即ち、カットオフ周波数が低い値となる。ＨＰＦのカットオフ周波数が低い値となることにより、遅延量調整回路６７を通過する回り込み信号の位相特性がスペクトラム３０１３からスペクトラム３０１４に変化し、送信信号の周波数帯域（周波数ｆ０から周波数ｆ１）において周波数に対して位相の傾きの値が大きくなる。
これにより、図１８に示したように、キャンセル動作Ｄ終了後の回り込み信号の位相３００５の傾きが、キャンセル動作Ｄ開始前の位相３００１の傾きより大きくなる。よって、受信回路８に出力される出力信号は、送信信号の周波数帯域全体において、回り込み信号が抑圧されたスペクトラムとなる。
【００９４】
以上のように、この実施の形態３によれば、回り込み信号の中心周波数をキャンセルするためのキャンセル用信号の位相および振幅の調整を行う可変移相器６２および可変減衰器６３と、送信信号の周波数帯域全体において回り込み信号をキャンセルするための遅延処理を行う遅延量調整回路６７とを備えるように構成したので、変調信号を送信しながら外部からの信号を受信する送受信装置においても、送信回路からの回り込み信号を送信信号の周波数帯域全体においてキャンセルすることができ、回り込み信号による影響を広帯域において低減することができる。これにより、当該送受信装置を、変調信号を送受信する広帯域通信、全二重方式による通信、マルチキャリアの通信におけるキャンセラ回路として適用することができる。
【００９５】
なお、上述した実施の形態３では、可変コンデンサおよび可変抵抗器を備える遅延量調整回路６７を備える構成を示したが、実施の形態１で示した複数の線路の切り替えにより遅延量を調整する遅延量調整回路を適用して構成してもよい。
【００９６】
実施の形態４．
上述した実施の形態１から実施の形態３では、キャンセル用信号と回り込み信号のどちらか一方の信号に対して遅延量調整を行う構成を示したが、この実施の形態４では、キャンセル用信号と回り込み信号の双方に対して遅延量調整を行う構成を示す。
図２１は、実施の形態４に係るキャンセラ回路６ｃを備えた送受信装置１００ｃの構成を示す図である。なお、上述した実施の形態２，３で示した送受信装置１００ａ，１００ｂの構成要素と同一または相当する部分には、実施の形態２，３で使用した符号と同一の符号を付して説明を省略または簡略化する。
【００９７】
実施の形態４の送受信装置１００ｃは、キャンセラ回路６ｃの可変減衰器６３の後段に遅延量調整回路６６を備え、サーキュレータ４の後段に遅延量調整回路６７を備えている。
遅延量調整回路６６および遅延量調整回路６７は、それぞれ可変コンデンサおよび可変抵抗器を備え、可変コンデンサの容量値および可変抵抗器の抵抗値を設定することにより、可変減衰器６３の出力信号および送受信装置１００ｃに回り込んだ回り込み信号を設定された遅延量で遅延させる。
【００９８】
次に、送受信装置１００ｃの動作について説明する。
実施の形態２，３と同様に、送受信装置１００ｃはキャンセルトレーニング動作およびキャンセル動作を行う。
具体的には、キャンセルトレーニング動作の回り込み信号の振幅情報および位相情報の取得動作は、実施の形態３の図１５で示したフローチャートに沿って行い、キャンセル用信号の振幅情報および位相情報取得動作は、実施の形態２の図１１で示したフローチャートに沿って行う。
【００９９】
（３ｃ）キャンセル動作
次に、実際に送受信装置１００ｃに回り込んだ回り込み信号をキャンセルするキャンセル動作について説明する。この実施の形態４では、回り込み信号のキャンセル動作として、回り込み信号の中心周波数成分をキャンセルする中心周波数成分キャンセル動作をキャンセル動作Ａ２とし、送信信号の周波数帯域全体において回り込み信号をキャンセルする周波数帯域キャンセル動作をキャンセル動作Ｅとして説明を行う。
【０１００】
キャンセル動作Ａ２は、実施の形態３の図１７で示したフローチャートのステップＳＴ３６の後段に、実施の形態１の図６で示したフローチャートのステップＳＴ３７のキャンセル用信号遅延処理を追加して構成する。一方、キャンセル動作Ｅは、実施の形態３の図１９で示したフローチャートのステップＳＴ５７の後段に、実施の形態２の図１２のフローチャートのステップＳＴ８３のキャンセル用信号遅延処理を追加して構成し、当該ステップＳＴ８３で遅延処理されたキャンセル用信号と、ステップＳＴ１０２で遅延処理されたまわり込み信号とを、ステップＳＴ５９において合成を行い、送信信号の周波数帯域全体において回り込み信号の周波数成分をキャンセルする。
【０１０１】
このように、実施の形態４では、送信信号の周波数帯域全体において回り込み信号をキャンセルするために、回り込み信号に対して遅延処理を行い、キャンセル用信号に対しても遅延処理が行われる。
【０１０２】
以上のように、この実施の形態４によれば、回り込み信号の中心周波数をキャンセルするためのキャンセル用信号の位相および振幅の調整を行う可変移相器６２および可変減衰器６３と、送信信号の周波数帯域全体において回り込み信号をキャンセルするための遅延処理を行う遅延量調整回路６６，６７とを備えるように構成したので、変調信号を送信しながら外部からの信号を受信する送受信装置においても、送信回路からの回り込み信号を送信信号の周波数帯域全体においてキャンセルすることができ、回り込み信号による影響を広帯域において低減することができる。これにより、当該送受信装置を、変調信号を送受信する広帯域通信、全二重方式による通信、マルチキャリアの通信におけるキャンセラ回路として適用することができる。
【０１０３】
なお、上述した実施の形態４では、可変コンデンサおよび可変抵抗器を備える遅延量調整回路６６および遅延量調整回路６７を備える構成を示したが、実施の形態１で示した複数の線路の切り替えにより遅延量を調整する遅延量調整回路を適用して構成してもよい。
【０１０４】
上述した実施の形態１から実施の形態４で示した送受信装置１００，１００ａ，１００ｂ，１００ｃは、例えば第５世代移動通信方式（５Ｇ）向けの基地局に適用可能である。
【０１０５】
上記以外にも、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【０１０６】
１  送信回路、２  第１のカプラ、３  第１のスイッチ、４  サーキュレータ、５  アンテナ、６，６ａ，６ｂ，６ｃ  キャンセラ回路、７  第２のカプラ、８  受信回路、９  可変バンドパスフィルタ、１０  振幅検波器、１１  位相検波器、１２  制御回路、６１  第２のスイッチ、６２  可変移相器、６３  可変減衰器、６４，６６，６７  遅延量調整回路、６４ａ，６４ｂ  切替器、６５  合成器、６６ａ  可変コンデンサ、６６ｂ  可変抵抗器、１００，１００ａ，１００ｂ，１００ｃ  送受信装置。
【図１】
2016208085.tif 000003
【図２】
2016208085.tif 000004
【図３】
2016208085.tif 000005
【図４】
2016208085.tif 000006
【図５】
2016208085.tif 000007
【図６】
2016208085.tif 000008
【図７】
2016208085.tif 000009
【図８】
2016208085.tif 000010
【図９】
2016208085.tif 000011
【図１０】
2016208085.tif 000012
【図１１】
2016208085.tif 000013
【図１２】
2016208085.tif 000014
【図１３】
2016208085.tif 000015
【図１４】
2016208085.tif 000016
【図１５】
2016208085.tif 000017
【図１６】
2016208085.tif 000018
【図１７】
2016208085.tif 000019
【図１８】
2016208085.tif 000020
【図１９】
2016208085.tif 000021
【図２０】
2016208085.tif 000022
【図２１】
2016208085.tif 000023